(57)【特許請求の範囲】
【請求項１】
ＧＰＳ衛星が送信した無線周波数のＧＰＳ衛星信号を受信し、受信した無線周波数のＧＰＳ衛星信号を処理して中間周波数のＧＰＳ衛星信号を生成する無線手段と、
この無線手段が生成した中間周波数のＧＰＳ衛星信号を復調処理してＧＰＳデータを取得するデータ取得手段と、
このデータ取得手段が取得したＧＰＳデータを演算する取得データ演算手段とを備え、
前記無線手段および前記データ取得手段が動作中にあるときには、前記取得データ演算手段が動作を停止するように構成したことを特徴とするＧＰＳ受信機。
【請求項２】
前記無線手段が動作を開始した後に、前記データ取得手段が動作を開始するように構成したことを特徴とする請求項１記載のＧＰＳ受信機。
【請求項３】
前記無線手段、前記データ取得手段および前記取得データ演算手段の各々の動作クロックとして作用する基準クロックを発生する基準クロック発生手段が動作を開始した後に、前記無線手段、前記データ取得手段および前記取得データ演算手段が動作を開始するように構成したことを特徴とする請求項１ないし２のいずれかに記載のＧＰＳ受信機。
【請求項４】
請求項１ないし３のいずれかに記載のＧＰＳ受信機をＧＰＳ受信部として備え、
このＧＰＳ受信部における取得データ演算手段が演算した演算結果を処理する演算結果処理手段を備えてなることを特徴とする携帯端末。
【発明の詳細な説明】
【０００１】
【発明の属する技術分野】
本発明は、ＧＰＳ衛星が送信した無線周波数のＧＰＳ衛星信号を無線処理して中間周波数のＧＰＳ衛星信号を生成し、生成した中間周波数のＧＰＳ衛星信号を復調処理してＧＰＳデータを取得し、取得したＧＰＳデータを演算するＧＰＳ受信機ならびに上記ＧＰＳ受信機を備えてなる携帯端末に関する。
【０００２】
【発明が解決しようとする課題】
近年、ＧＰＳ受信機が広く普及しており、それに伴って、ＧＰＳ受信機を備えた携帯情報端末や携帯電話機などの携帯端末が広く普及している。図３は、携帯端末に備えられたＧＰＳ受信機の電気的な構成を機能ブロック図として示しており、ＧＰＳ受信機１は、例えば、基準クロック発生部２、ＲＦ（Radio Frequency ）部３、データ取得部４、取得データ記憶部５および取得データ演算部６を備えて構成されることが考えられる。
【０００３】
このような構成によれば、基準クロック発生部２は、ＲＦ部３、データ取得部４および取得データ演算部６の各々の動作クロックとして作用する基準クロックを発生し、発生した基準クロックをＲＦ部３、データ取得部４および取得データ演算部６の各々に出力する。ＲＦ部３は、ＧＰＳ衛星が送信した無線周波数（ＲＦ）のＧＰＳ衛星信号（ＧＰＳ電波）をアンテナ７により受信し、受信した無線周波数のＧＰＳ衛星信号と局部発振（ＬＯ：Local Oscillation ）信号とをミキシングして中間周波数（ＩＦ：Intermediate Frequency）のＧＰＳ衛星信号を生成する。
【０００４】
データ取得部４は、ＲＦ部３が生成した中間周波数のＧＰＳ衛星信号を復調処理してＧＰＳデータを取得し、取得データ記憶部５は、データ取得部４が取得したＧＰＳデータを一時的に記憶する。そして、取得データ演算部６は、取得データ記憶部５が一時的に記憶しているＧＰＳデータを読出し、読出したＧＰＳデータを演算し、演算結果を出力する。
【０００５】
ところで、上記した構成のものは、基準クロック発生部２、ＲＦ部３、データ取得部４および取得データ演算部６の各々は、ＣＰＵ８からオン指令を同時に入力することにより、動作を同時に開始し、また、ＣＰＵ８からオフ指令を同時に入力することにより、動作を同時に停止すると考えられる。
【０００６】
しかしながら、これでは、ＲＦ部３およびデータ取得部４が動作中にあるときには、取得データ演算部６も動作中にあることになるので、そうなると、無線周波数のＧＰＳ衛星信号を無線処理して中間周波数のＧＰＳ衛星信号を生成する場合および中間周波数のＧＰＳ衛星信号を復調処理してＧＰＳデータを取得する場合においては、取得データ演算部６が発生するデジタルノイズの影響を受けて、必要な感度を得ることができないという問題がある。
【０００７】
この場合、取得データ演算部６が発生するデジタルノイズの影響を回避するために、ＲＦ部３およびデータ取得部４と、取得データ演算部６とを物理的に遠ざけて配設する構成も考えられるが、これは、携帯端末において小形化が要望されているという事情を考慮すると、実現し難いものである。
【０００８】
また、これとは別の問題として、このようにＲＦ部３、データ取得部４および取得データ演算部６が動作を同時に開始する構成では、それら各部３，４，６が同時に動作中となるので、ＧＰＳ受信機１全体として見れば、消費電流が大きいことになり、これは、携帯端末において消費電流の低減化が要望されているという事情を考慮すると、好ましくないものである。
【０００９】
本発明は、上記した事情に鑑みてなされたものであり、その目的は、取得データ演算手段が発生するデジタルノイズの影響を未然に回避することにより、必要な感度を得ることができ、また、消費電流の低減化を図ることができるＧＰＳ受信機ならびに上記ＧＰＳ受信機を備えてなる携帯端末を提供することにある。
【００１０】
【課題を解決するための手段】
請求項１記載のＧＰＳ受信機によれば、無線手段は、ＧＰＳ衛星が送信した無線周波数のＧＰＳ衛星信号を受信し、受信した無線周波数のＧＰＳ衛星信号を処理して中間周波数のＧＰＳ衛星信号を生成し、データ取得手段は、無線手段が生成した中間周波数のＧＰＳ衛星信号を復調処理してＧＰＳデータを取得し、取得データ演算手段は、データ取得手段が取得したＧＰＳデータを演算する。そして、この際、無線手段およびデータ取得手段が動作中にあるときには、取得データ演算手段が動作を停止する。
【００１１】
すなわち、このものによれば、無線手段およびデータ取得手段が動作中にあるときには、取得データ演算手段が動作を停止するように構成したので、無線周波数のＧＰＳ衛星信号を処理して中間周波数のＧＰＳ衛星信号を生成する場合および中間周波数のＧＰＳ衛星信号を復調処理してＧＰＳデータを取得する場合においては、取得データ演算手段が発生するデジタルノイズの影響を未然に回避することができ、これにより、必要な感度を得ることができる。また、無線手段およびデータ取得手段が動作中にあるときには、取得データ演算手段が動作を停止している分、ＧＰＳ受信機全体として、消費電流の低減化をも図ることができる。
【００１３】
請求項２記載のＧＰＳ受信機によれば、無線手段が動作を開始した後に、データ取得手段が動作を開始する。すなわち、このものによれば、無線手段が動作を開始した後に、データ取得手段が動作を開始するように構成したので、無線手段が動作を開始するタイミングと、データ取得手段が動作を開始するタイミングとの間に時間差があることにより、消費電流が瞬間的に増加することを未然に回避することができる。
【００１４】
請求項３記載のＧＰＳ受信機によれば、無線手段、データ取得手段および取得データ演算手段の各々の動作クロックとして作用する基準クロックを発生する基準クロック発生手段が動作を開始した後に、無線手段、データ取得手段および取得データ演算手段が動作を開始する。すなわち、このものによれば、基準クロック発生手段が動作を開始した後に、無線手段、データ取得手段および取得データ演算手段が動作を開始するように構成したので、基準クロック発生手段が動作を開始するタイミングと、無線手段、データ取得手段および取得データ演算手段の各々が動作を開始するタイミングとの間に時間差があることにより、この場合にも、消費電流が瞬間的に増加することを未然に回避することができる。
【００１５】
請求項４記載の携帯端末によれば、請求項１ないし３のいずれかに記載のＧＰＳ受信機をＧＰＳ受信部として備え、演算結果処理手段は、ＧＰＳ受信部における取得データ演算手段が演算した演算結果を処理する。すなわち、このものによれば、ＧＰＳ受信部において、上記したように、必要な感度を得ることができ、また、消費電流の低減化を図ることができ、これにより、携帯端末としても、消費電流の低減化を図ることができる。
【００１６】
【発明の実施の形態】
以下、本発明を携帯情報端末のＧＰＳ受信部に適用した一実施例について、図１および図２を参照して説明する。
まず、図１は、携帯情報端末の電気的な構成を機能ブロック図として示している。図１において、携帯情報端末１１は、マイクロコンピュータを主体としてなるＣＰＵ１２（本発明でいう演算結果処理手段）に、ＧＰＳ受信機として作用するＧＰＳ受信部１３、操作部１４、表示部１５、携帯電話機接続ＩＦ（インタフェース）部１６、外部端末接続ＩＦ部１７および記憶部１８を接続して構成されている。
【００１７】
そして、ＧＰＳ受信部１３は、基準クロック発生部１９（本発明でいう基準クロック発生手段）、ＲＦ（Radio Frequency ）部２０（本発明でいう無線手段）、データ取得部２１（本発明でいうデータ取得手段）、取得データ記憶部２２および取得データ演算部２３（本発明でいう取得データ演算手段）から構成されている。
【００１８】
ＣＰＵ１２は、ＧＰＳ受信部１３の基準クロック発生部１９、ＲＦ部２０、データ取得部２１および取得データ演算部２３の各々に個別にオン指令或いはオフ指令を出力することにより、各部１９〜２１，２３の動作を個別に制御する。具体的には、ＣＰＵ１２は、各部１９〜２１，２３の各々に個別にオン指令を出力することにより、各部１９〜２１，２３の各々の動作を個別に開始させ、また、各部１９〜２１，２３の各々に個別にオフ指令を出力することにより、各部１９〜２１，２３の各々の動作を個別に停止させる。
【００１９】
基準クロック発生部１９は、ＲＦ部２０、データ取得部２１および取得データ演算部２３の各々の動作クロックとして作用する所定周波数の基準クロックを発生し、発生した基準クロックをＲＦ部２０、データ取得部２１および取得データ演算部２３の各々に出力する。
【００２０】
ＲＦ部２０は、ＧＰＳ衛星が送信した無線周波数（ＲＦ）のＧＰＳ衛星信号  （ＧＰＳ電波）をアンテナ２４により受信すると、受信した無線周波数のＧＰＳ衛星信号と局部発振（ＬＯ：Local Oscillation ）信号とをミキシングして中間周波数（ＩＦ：Intermediate Frequency）のＧＰＳ衛星信号を生成し、生成した中間周波数のＧＰＳ衛星信号をデータ取得部２１に出力する。
【００２１】
データ取得部２１は、ＲＦ部２０から中間周波数のＧＰＳ衛星信号を入力すると、入力した中間周波数のＧＰＳ衛星信号を復調処理してＧＰＳデータを取得し、取得したＧＰＳデータを取得データ記憶部２２に出力する。取得データ記憶部２２は、データ取得部２１からＧＰＳデータを入力すると、入力したＧＰＳデータを一時的に記憶する。そして、取得データ演算部２３は、取得データ記憶部２２が一時的に記憶しているＧＰＳデータを読出し、読出したＧＰＳデータを演算し、演算結果をＣＰＵ１２に出力する。
【００２２】
また、操作部１４は、電源キーなどの各種のキーの操作を検出すると、キー操作検出をＣＰＵ１２に出力し、ＣＰＵ１２は、操作部１４からキー操作検出を入力すると、入力したキー操作検出を解読し、解読した解読結果に基づいて所定の処理を実行する。表示部１５は、ＣＰＵ１２から表示指令を入力すると、入力した表示指令に応じた表示情報を表示する。
【００２３】
携帯電話機接続ＩＦ部１６は、携帯電話機（図示せず）との間のインタフェース機能を有しており、携帯電話機を接続している状態において、携帯電話機との間の通信を制御する。外部端末接続ＩＦ部１７は、例えばＰＣ（パーソナルコンピュータ）端末などの外部端末（図示せず）との間のインタフェース機能を有しており、外部端末を接続している状態において、外部端末との間の通信を制御する。そして、記憶部１８は、所定地域の地図データ、個人データ或いはスケジュールデータなどの各種の記憶情報を記憶する。
【００２４】
次に、上記した構成の作用について、図２を参照して説明する。図２は、ＧＰＳ受信部１３の基準クロック発生部１９、ＲＦ部２０、データ取得部２１および取得データ演算部２３の各々の動作タイミングをタイムチャートとして示している。
【００２５】
ＣＰＵ１２は、ＧＰＳ受信部１３の動作を開始させるに際しては、まず、基準クロック発生部１９にオン指令を出力することにより、基準クロック発生部１９の動作を開始させる（図２中、ｔ1 参照）。次いで、ＣＰＵ１２は、時間Ｔ1 が経過した後、ＲＦ部２０にオン指令を出力することにより、ＲＦ部２０の動作を開始させる（図２中、ｔ2 参照）。次いで、ＣＰＵ１２は、時間Ｔ2 が経過した後、データ取得部２１にオン指令を出力することにより、データ取得部２１の動作を開始させる（図２中、ｔ3 参照）。
【００２６】
ここで、携帯情報端末１１がＧＰＳ衛星信号を受信するに際して受信環境が良好な状態にあると仮定すると、ＧＰＳ受信部１３において、ＲＦ部２０は、ＧＰＳ衛星が送信した無線周波数のＧＰＳ衛星信号をアンテナ２４により受信し、受信した無線周波数のＧＰＳ衛星信号と局部発振信号とをミキシングして中間周波数のＧＰＳ衛星信号を生成し、生成した中間周波数のＧＰＳ衛星信号をデータ取得部２１に出力するようになる。
【００２７】
そして、データ取得部２１は、ＲＦ部２０から中間周波数のＧＰＳ衛星信号を入力すると、入力した中間周波数のＧＰＳ衛星信号を復調処理してＧＰＳデータを取得し、取得したＧＰＳデータを取得データ記憶部２２に出力するようになり、取得データ記憶部２２は、データ取得部２１からＧＰＳデータを入力すると、入力したＧＰＳデータを一時的に記憶するようになる。
【００２８】
さて、この場合、ＣＰＵ１２は、データ取得部２１から取得データ記憶部２２へのＧＰＳデータの出力状況を監視しており、データ取得部２１から取得データ記憶部２２へのＧＰＳデータの出力が完了したことを検出すると、ＲＦ部２０およびデータ取得部２１の各々にオフ指令を出力することにより、ＲＦ部２０およびデータ取得部２１の各々の動作を停止させると同時に、取得データ演算部２３にオン指令を出力することにより、取得データ演算部２３の動作を開始させる  （図２中、ｔ4 参照）。
【００２９】
そして、これに応じて、取得データ演算部２３は、取得データ記憶部２２が一時的に記憶しているＧＰＳデータを読出し、読出したＧＰＳデータを演算し、演算結果をＣＰＵ１２に出力するようになる。
【００３０】
さて、この場合、ＣＰＵ１２は、取得データ演算部２３からの演算結果の入力状況を監視しており、取得データ演算部２３からの演算結果の入力が完了したことを検出すると、基準クロック発生部１９および取得データ演算部２３の各々にオフ指令を出力することにより、基準クロック発生部１９および取得データ演算部２３の各々の動作を停止させる（図２中、ｔ5 参照）。そして、ＣＰＵ１２は、取得データ演算部２３から入力した演算結果を所定のアルゴリズムにしたがって処理する。
【００３１】
尚、以上は、ＣＰＵ１２が基準クロック発生部１９、ＲＦ部２０、データ取得部２１および取得データ演算部２３の各々の動作を制御する構成を説明したものであるが、ＣＰＵ１２が基準クロック発生部１９および取得データ演算部２３の各々の動作を制御し、取得データ演算部２３がＲＦ部２０およびデータ取得部２１の動作を制御するように構成することも可能である。
【００３２】
また、基準クロック発生部１９がＲＦ部２０、データ取得部２１および取得データ演算部２３の各々に基準クロックを直接出力する構成を説明したものであるが、基準クロック発生部１９がデータ取得部２１を経由して取得データ演算部２３に基準クロックを出力するように構成することも可能である。
【００３３】
以上に説明したように本実施例によれば、携帯情報端末１１のＧＰＳ受信部１３において、ＲＦ部２０およびデータ取得部２１が動作中にあるときには、取得データ演算部２３が動作を停止するように構成したので、無線周波数のＧＰＳ衛星信号を処理して中間周波数のＧＰＳ衛星信号を生成する場合および中間周波数のＧＰＳ衛星信号を復調処理してＧＰＳデータを取得する場合においては、取得データ演算部２３が発生するデジタルノイズの影響を未然に回避することができ、これにより、必要な感度を得ることができる。
【００３４】
また、ＲＦ部２０およびデータ取得部２１が動作中にあるときには、取得データ演算部２３が動作を停止している分、ＧＰＳ受信部１３における消費電流の低減化を図ることができ、これにより、携帯情報端末１１における消費電流の低減化をも図ることができる。
【００３６】
また、ＲＦ部２０が動作を開始した後に、データ取得部２１が動作を開始するように構成したので、ＲＦ部２０が動作を開始するタイミングと、データ取得部２１が動作を開始するタイミングとの間に時間差があることにより、消費電流が瞬間的に増加することを未然に回避することができる。
【００３７】
さらに、基準クロック発生部１９が動作を開始した後に、ＲＦ部２０、データ取得部２１および取得データ演算部２３が動作を開始するように構成したので、基準クロック発生部１９が動作を開始するタイミングと、ＲＦ部２０、データ取得部２１および取得データ演算部２３の各々が動作を開始するタイミングとの間に時間差があることにより、この場合にも、消費電流が瞬間的に増加することを未然に回避することができる。
【００３８】
本発明は、上記した実施例にのみ限定されるものでなく、次のように変形または拡張することができる。
携帯端末としては、電話機能を備えた携帯情報端末であっても良く、また、このような携帯情報端末に限らず、携帯電話機や簡易型の携帯電話機（ＰＨＳ：Personal Handyphone System）などであっても良い。
【図面の簡単な説明】
【図１】本発明の一実施例の電気的な構成を示す機能ブロック図
【図２】基準クロック発生部、ＲＦ部、データ取得部および取得データ演算部の各々の動作タイミングを示すタイムチャート
【図３】従来例の電気的な構成を示す機能ブロック図
【符号の説明】
図面中、１１は携帯情報端末（携帯端末）、１２はＣＰＵ（演算結果処理手段）、１３はＧＰＳ受信部（ＧＰＳ受信機）、１９は基準クロック発生部（基準クロック発生手段）、２０はＲＦ部（無線手段）、２１はデータ取得部（データ取得手段）、２３は取得データ演算部（取得データ演算手段）である。
【図１】
0003847039.tif 000002
【図２】
0003847039.tif 000003
【図３】
0003847039.tif 000004